(57)【要約】【課題】内容器を吐出容器に装填する前や装填するときに内容器を倒したり落としたりしても内容物が零れ出ない、または零れ出ても少量である二重容器を提供する。【解決手段】外容器２と、外容器２内に収納されると共に内容物が収容された内容器２１と、上方付勢状態で押し込み可能に起立したステム３２を有すると共に内容器２１のポンプ装着口部２５に装着され、ポンプ装着口部２５の開口を閉塞する吐出器２２と、を備えるカートリッジ体３と、外容器２の押下体装着口部１２に装着されると共に頂壁部４３に案内孔部４３Ａが形成された有頂筒状の装着部材４１と、案内孔部４３Ａ内で上下動可能に挿通されると共にステム３２に取り付けられた押下ヘッド４２と、を有する押下体４と、を備え、押下ヘッド４２には、頂壁部４３における案内孔部４３Ａの周縁部に係合して押下ヘッド４２の装着部材４１に対する上昇移動を規制する抜止凸部５３Ａが設けられている。【選択図】図１
2011068405.tif 000002
【特許請求の範囲】
【請求項１】
外容器と、
前記外容器内に収納されると共に内容物が収容された内容器と、上方付勢状態で押し込み可能に起立したステムを有すると共に前記内容器の口部に装着され、前記口部の開口を閉塞する吐出器と、を備えるカートリッジ体と、
前記外容器の装着口部に装着されると共に頂壁部に案内孔部が形成された有頂筒状の装着部材と、前記案内孔部内で上下動可能に挿通されると共に前記ステムに取り付けられた押下ヘッドと、を有する押下体と、を備え、
前記押下ヘッドには、前記装着部材の前記頂壁部における前記案内孔部の周縁部に係合して該押下ヘッドの前記装着部材に対する上昇移動を規制する抜止部が設けられていることを特徴とする二重容器。
【請求項２】
前記外容器及び前記内容器には、それぞれ互いに係合することで前記外容器及び前記内容器の相対的な周方向の位置を決める位置決部が形成されていることを特徴とする請求項１に記載の二重容器。
【請求項３】
前記抜止部は、前記押下ヘッドの下端部に形成され、
前記押下ヘッドの下端部には、上下方向に延在し、下端開口縁に開口するスリットが形成されていることを特徴とする請求項１または２に記載の二重容器。
【請求項４】
前記押下ヘッドは、当該押下ヘッドの前記装着部材に対する上下動を規制する規制位置とこの規制を解除する規制解除位置との間で、前記装着部材に対して当該二重容器の容器軸回りに回転可能であることを特徴とする請求項１から３のいずれか１項に記載の二重容器。
【請求項５】
前記押下ヘッドの外周面には、前記抜止部との間で前記頂壁部を前記容器軸方向に挟む規制凸部が径方向外方に向けて突設され、
前記頂壁部における前記案内孔部の周縁部には、前記規制凸部を通過させる通過孔部と、前記規制凸部に係合して前記押下ヘッドの前記規制位置から前記規制解除位置への移動を抑止する抑止部と、が形成されていることを特徴とする請求項４に記載の二重容器。
【発明の詳細な説明】
【技術分野】
【０００１】
本発明は、二重容器に関するものである。
【背景技術】
【０００２】
近年、内容物を収容した内容器と、内部に内容器を収納する有底筒状の外容器と、外容器内の内容器の口部に装着されたポンプ付蓋体と、を備える二重容器が提供されている。
このような二重容器において内容器を交換する際には、まず、ポンプ付蓋体を内容器の口部から取り外した後に内容器を外容器から取り出す。そして、外容器に新たな内容器を収納し、ポンプ付蓋体を再装着する。このとき、ポンプのシリンダを内容器の口部から内側に挿入する。以上のようにして、内容器を交換する。
【先行技術文献】
【特許文献】
【０００３】
【特許文献１】特許第４１９４８７３号公報
【発明の概要】
【発明が解決しようとする課題】
【０００４】
しかしながら、上記従来の二重容器では、開封後の内容器を誤って倒したり落としたりして、内容物が零れ出るおそれがある。特に、ポンプ付蓋体を装着する内容器では、内容器内にポンプのシリンダを挿入させるために口部が大口径になっているので、内容器を倒したり落としたりしたときに内容器内の内容物の大部分が零れ出てしまうことがある。また、ポンプ付蓋体を内容器から取り出したときに、シリンダやシリンダの下端に連結されたチューブの外表面に付着した内容物または上記チューブ内に残留している内容物などが垂れ落ちるおそれがある。
【０００５】
本発明は、前述の課題に鑑みてなされたもので、内容器を吐出容器に装填する前や装填するときに内容器を倒したり落としたりしても内容物が零れ出ない、または零れ出ても少量である二重容器を提供することを目的とする。
【課題を解決するための手段】
【０００６】
本発明は、上記のような課題を解決するために以下のような手段を採用した。すなわち、本発明の二重容器は、外容器と、前記外容器内に収納されると共に内容物が収容された内容器と、上方付勢状態で押し込み可能に起立したステムを有すると共に前記内容器の口部に装着され、前記口部の開口を閉塞する吐出器と、を備えるカートリッジ体と、前記外容器の装着口部に装着されると共に頂壁部に案内孔部が形成された有頂筒状の装着部材と、前記案内孔部内で上下動可能に挿通されると共に前記ステムに取り付けられた押下ヘッドと、を有する押下体と、を備え、前記押下ヘッドには、前記装着部材の前記頂壁部における前記案内孔部の周縁部に係合して該押下ヘッドの前記装着部材に対する上昇移動を規制する抜止部が設けられていることを特徴とする。
【０００７】
この発明では、内容器の口部を吐出器で閉塞したカートリッジ体を交換するため、カートリッジ体を交換する際にカートリッジ体を倒したり落としたりしても、内容物が外部に零れ出ないまたは零れたとしても少量とすることができる。すなわち、カートリッジ体を交換する際には、外容器に装着された押下体を取り外してステムから押下ヘッドを取り外し、さらに、外容器内に収納されているカートリッジ体を取り出す。そして、内容器内に内容物が収容されている新たなカートリッジ体を外容器内に装填する。内容物が内容器内に密封されているため、新たなカートリッジ体を外容器内に装填する際にカートリッジ体を誤って落下、転倒などさせても、カートリッジ体内の内容物が零れ出ず、仮に上方付勢状態のステムが落下、転倒時などで押し下げられても、ステムを介して零れ出る内容物を少量にすることができる。また、カートリッジ体の交換時に内容物が外気にさらされにくいため、内容物の品質低下や内容物への不純物の混入を防止できる。
さらに、押下ヘッドに抜止部が設けられているため、押下体を外容器に装着しようとするときに、押下ヘッドが上方付勢されているステムによって上方に押し上げられ、抜止部が装着部材の頂壁部における案内孔部の周縁部に係合する。これにより、押下ヘッドは、装着部材に対して固定される。このため、ステムによる押下ヘッドのさらなる上昇移動が規制され、ステムが押下ヘッドに取り付けられる。したがって、外容器への押下体の装着時に、押下ヘッドにステムを確実に取り付けることができる。
【０００８】
また、本発明の二重容器は、前記外容器及び前記内容器には、それぞれ互いに係合することで前記外容器及び前記内容器の相対的な周方向の位置を決める位置決部が形成されていることが好ましい。
この発明では、外容器と内容器とにおいて互いの周方向の位置を容易かつ確実に合わせることができ、例えば外容器及び内容器に模様などがある場合に両者の模様を重ね合わせたり、あるいは周方向に離間させたりすることができる。さらに、装着部材が装着口部に螺着するように構成されている場合、螺着時に押下ヘッドがステムと接触した状態で押下体がカートリッジ体と共に螺着方向で回転することを防止し、螺着が容易になる。
【０００９】
また、本発明の二重容器は、前記抜止部は、前記押下ヘッドの下端部に形成され、前記押下ヘッドの下端部には、上下方向に延在し、下端開口縁に開口するスリットが形成されていることが好ましい。
この発明では、押下ヘッドの下端部を案内孔部に差し込んで挿通させる際に押下ヘッドの下端部が径方向内方へ弾性変形するので、押下ヘッドを案内孔部内に容易に配置できる。
【００１０】
また、本発明の二重容器は、前記押下ヘッドは、当該押下ヘッドの前記装着部材に対する上下動を規制する規制位置とこの規制を解除する規制解除位置との間で、前記装着部材に対して当該二重容器の容器軸回りに回転可能であることが好ましい。
この発明では、装着部材に対して押下ヘッドを固定することができるため、装着部材を装着口部から取り外すときに押下ヘッドをステムから容易に取り外すことができる。すなわち、押下ヘッドを規制位置に位置させることにより、装着部材を装着口部から取り外す際に押下ヘッドも装着部材と共にステムから取り外される方向に移動される。これにより、装着部材を装着口部から取り外したときに押下ヘッドがステムに取り付けられたままの状態となっていることが防止される。したがって、押下体は、押下ヘッドが上下動してステムに引っ掛かることなく外容器から容易に取り外される。
また、装着部材及び押下ヘッドの着脱時に押下ヘッドを規制位置に位置させることによって、押下ヘッドが装着部材に固定されてぐらつきを抑えるため、ヘッドが取り付けられるステムに過度な負荷が掛かることを抑制し、ステムの劣化を防止できる。
さらに、装着部材を装着口部に装着した状態で押下ヘッドを規制位置に位置させることにより、押下ヘッドが不用意に押し下げられて内容物が吐出されることを防止できる。
【００１１】
また、本発明の二重容器は、前記押下ヘッドの外周面には、前記抜止部との間で前記頂壁部を前記容器軸方向に挟む規制凸部が径方向外方に向けて突設され、前記頂壁部における前記案内孔部の周縁部には、前記規制凸部を通過させる通過孔部と、前記規制凸部に係合して前記押下ヘッドの前記規制位置から前記規制解除位置への移動を抑止する抑止部と、が形成されていることが好ましい。
この発明では、押下ヘッドが規制位置から規制解除位置に向けて不用意に移動することが防止されることで、押下ヘッドの誤動作をより確実に防止できる。すなわち、押下ヘッドは、装着部材に対して容器軸回りに回転させて規制凸部を周方向で通過孔部からずらすことにより、押下ヘッドが頂壁部によってその上下動が阻害される規制位置に達し、規制凸部を周方向で通過孔部と位置合わせすることにより、押下ヘッドが頂壁部によって阻害されることなく上下動する規制解除位置に達する。ここで、規制位置における規制凸部が周方向で移動して通過孔部に達することを抑止するため、押下ヘッドが不用意に押し下げられることをより確実に防止できる。
【発明の効果】
【００１２】
この発明にかかる二重容器によれば、内容物が内容器内で密封されているため、カートリッジ体の交換時に誤ってカートリッジ体を倒したり落としたりしても、内容物が外部に零れ出ないまたは零れたとしても少量とすることができる。また、抜止部が押下ヘッドの上昇移動を規制するため、外容器への押下体の装着時に、押下ヘッドをステムに確実に取り付けることができる。
【図面の簡単な説明】
【００１３】
【図１】本発明の第１の実施形態における二重容器を示す軸方向断面図である。
【図２】外容器及び押下体を示す軸方向断面図である。
【図３】外容器を示す図２のＡ−Ａ矢視断面図である。
【図４】カートリッジ体を示す軸方向断面図である。
【図５】カートリッジ体を示す上面図である。
【図６】押下ヘッドを示す裏面図である。
【図７】本発明の第２の実施形態における二重容器の一部を示す斜視図である。
【図８】図７の部分拡大図である。
【図９】本発明の第３の実施形態における二重容器を示す軸方向断面図である。
【図１０】規制解除位置にある押下体を示す斜視図である。
【図１１】規制位置にある押下体を示す斜視図である。
【図１２】図９の頂壁部を示す部分拡大図である。
【発明を実施するための形態】
【００１４】
以下、本発明による二重容器の第１の実施形態を、図面に基づいて説明する。なお、以下の説明に用いる各図面では、各部材を認識可能とするために縮尺を適宜変更している。
本実施形態における二重容器１は、図１に示すように、有底筒状の外容器２、有底筒状のカートリッジ体３、押下体４及び有頂筒状のオーバーキャップ５を備えている。
図示の例では、外容器２、カートリッジ体３、押下体４及びオーバーキャップ５は、共通軸線上に配置されている。以下、この共通軸を容器軸Ｏと称し、容器軸Ｏに沿って押下体４側を上側、外容器２側を下側とし、容器軸Ｏに直交する方向を径方向とし、さらに容器軸Ｏを中心に周回する方向を周方向とする。
【００１５】
外容器２は、図１から図３に示すように、有底円筒状をなしており、外胴部１１と、外胴部の上端に連設された押下体装着口部（装着口部）１２と、を備えている。
外胴部１１の上端部には、内径を大きくすることによって段差部１３が形成されている。そして、段差部１３の内周縁部には、図３に示すように、平面視Ｃ字状をなす環状溝部１３Ａが周方向に形成されており、環状溝部１３Ａの被形成部分は、位置決凸部（位置決部）１３Ｂとなっている。
また、押下体装着口部１２の内周面には、図１及び図２に示すように、押下体４が螺着される第１雌ネジ部１２Ａが形成されている。
【００１６】
カートリッジ体３は、図１、図４及び図５に示すように、内容器２１と、内容器２１に螺着される吐出器２２と、を備えている。
内容器２１は、内胴部２３と、肩部２４と、ポンプ装着口部（口部）２５と、を有する。
内胴部２３は、有底円筒状をなしており、外径が外胴部１１の内径よりも若干小さくなっている。
肩部２４は、内胴部２３の上端に連設されており、上方に向かうにしたがって漸次縮径している。
ポンプ装着口部２５は、肩部２４の上端に連設されており、容器軸Ｏに沿って延在する円筒状をなしている。そして、ポンプ装着口部２５の外周面には、第２雄ネジ部２５Ａが形成されている。
【００１７】
吐出器２２は、内容器２１のポンプ装着口部２５の開口を閉塞し、ポンプ２６と、ポンプ２６を内容器２１に取り付ける取付部材２７と、を有する。
ポンプ２６は、内容器２１内の内容物を送り出す送出器であり、多段状のシリンダ３１と、シリンダ３１の上端から突出されたステム３２と、シリンダ３１の径方向外方に突出したポンプフランジ部３３と、を有する。
【００１８】
シリンダ３１は、容器軸Ｏを中心軸線にして上下方向に沿って延設された円筒状をなす筒部であり、下方に向かうにしたがって段状に縮径されている。このシリンダ３１は、概略構成として、ポンプ装着口部２５の内側に配設された上筒部３１Ａと、上筒部３１Ａの下端に連結されると共に上筒部３１Ａよりも小径の中筒部３１Ｂと、中筒部３１Ｂの下端に連結されると共に中筒部３１Ｂよりも小径の下筒部３１Ｃと、を備えている。そして、上筒部３１Ａの下端と中筒部３１Ｂの上端との間及び中筒部３１Ｂの下端と下筒部３１Ｃの上端との間には、それぞれ段差が形成されている。また、シリンダ３１の下端には、チューブ３４が連結されている。
チューブ３４は、内容器２１内の内容物をポンプ２６のシリンダ３１内に供給するための供給管であり、内容器２１内に収容されて内容器２１内の内容物の中に配置されたディップチューブである。そして、チューブ３４の下端は、内容器２１内に開放されている。
【００１９】
ステム３２は、上筒部３１Ａの上端から上方に向けて突出された筒部であり、容器軸Ｏに沿って延設されている。また、ステム３２は、上側部分が下側部分よりも小径となっており、上側部分と下側部分との間には、段差が形成されている。そして、ステム３２は、図示しないスプリングなどによって上方付勢状態で立設されており、このステム３２が押下されることによってポンプ２６が作動する。
ポンプフランジ部３３は、上筒部３１Ａの外周面に沿って全周にわたって形成された円環板状をなしている。このポンプフランジ部３３は、パッキン３５と取付部材２７の後述する環状板部３７との間に挟み込まれており、このポンプフランジ部３３を介してポンプ２６が取付部材２７に支持されている。
【００２０】
取付部材２７は、内容器２１のポンプ装着口部２５に着脱自在に装着されており、ほぼ筒状をなしている。そして、取付部材２７は、案内筒部３６と、環状板部３７と、取付筒部３８と、取付部材フランジ部３９と、を有する。
案内筒部３６は、容器軸Ｏに沿って延在する円筒状をなし、ステム３２から径方向外方に離間した位置においてステム３２の下側部分の外周を覆っており、押下体４の押下動作を案内する。
環状板部３７は、円環状をなしており、内周縁が案内筒部３６の下端に連設されており、外周縁が取付筒部３８の上端に連設されている。
取付筒部３８は、容器軸Ｏに沿って延在する円筒状をなしており、内周面にポンプ装着口部２５の第２雄ネジ部２５Ａと螺合する第２雌ネジ部３８Ａが形成されている。
【００２１】
取付部材フランジ部３９は、ほぼ円環板状をなしており、内周縁が取付筒部３８の下端に連設されている。そして、取付部材フランジ部３９の外周縁部は、外容器２の段差部１３（環状溝部１３Ａ）上に載置されている。また、取付部材フランジ部３９の外周縁部における周方向の一部分には、図５に示すように、段差部１３の位置決凸部１３Ｂと係合する位置決切欠（位置決部）３９Ａが形成されている。位置決切欠３９Ａを位置決凸部１３Ｂと係合させることによって外容器２に対するカートリッジ体３の周方向における位置合わせが行われると共に、カートリッジ体３が外容器２に対して容器軸Ｏ回りに回転することが規制される。
【００２２】
押下体４は、図１及び図２に示すように、外容器２の押下体装着口部１２に装着される装着部材４１と、装着部材４１に対して上下方向で移動可能に設けられた押下ヘッド４２と、を備える。
装着部材４１は、頂壁部４３と、接続筒部４４と、環状壁部４５と、装着筒部４６と、外壁部４７と、を有する。
頂壁部４３は、平面視円形をなしており、径方向内方に向かうにしたがって上方に向けて若干膨出している。そして、頂壁部４３の径方向中央部には、案内筒部３６よりも大径の案内孔部４３Ａが形成されている。
【００２３】
接続筒部４４は、容器軸Ｏに沿って延在する円筒状をなしており、頂壁部４３の外周縁部に連設されている。
環状壁部４５は、内周縁が接続筒部４４の下端に連設されており、外周縁が円筒状をなす外壁部４７の上端に連設されている。また、環状壁部４５の径方向中央部分には、装着筒部４６の上端が連設されている。
装着筒部４６は、容器軸Ｏに沿って延在する円筒状をなしており、外周面に押下体装着口部１２の第１雌ネジ部１２Ａと螺合する第１雄ネジ部４６Ａが形成されている。また、装着筒部４６の下端は、装着部材４１を外容器２の押下体装着口部１２に装着した状態において、取付部材フランジ部３９の外周縁部分を段差部１３の環状溝部１３Ａの上面と共に挟み込んでいる。
【００２４】
押下ヘッド４２は、ポンプ２６のステム３２に取り付けられる操作部であり、図１、図２及び図６に示すように、嵌合筒部５１と、ノズル５２と、外筒部５３と、を有する。
嵌合筒部５１は、内径がステム３２の上側部分の外径と同等となっており、ステム３２の上側部分に嵌挿されている。そして、嵌合筒部５１の内側は、ステム３２に連通しており、ステム３２を介して内容器２１内の内容物が流通する。また、嵌合筒部５１の下端は、ステム３２の下側部分の上端に当接している。
ノズル５２は、内容物を吐出させる吐出口であり、径方向外方に向けて突設されている。ノズル５２の内部には、嵌合筒部５１の内側と連通する連通路５２Ａが形成されている。このため、連通路５２Ａは、嵌合筒部５１の内側を介してステム３２に連通しており、内容器２１内の内容物を流通させる。
【００２５】
外筒部５３は、嵌合筒部５１よりも径方向外方に配置されており、内径が案内筒部の外径よりも若干大きく、外径が案内孔部４３Ａと同等になっている。また、外筒部５３の下端部には、径方向外方に向けて突出する抜止凸部（抜止部）５３Ａが全周にわたって形成されている。抜止凸部５３Ａは、嵌合筒部５１が上方付勢されているステム３２に取り付けられることによって押下ヘッド４２が上方付勢されても、案内孔部４３Ａの周縁部に引っ掛かることによって押下ヘッド４２が案内孔部４３Ａから抜け出ることを防止する。
【００２６】
さらに、外筒部５３の下端部には、抜止凸部５３Ａを越えて上下方向に延在すると共に外筒部５３の下端開口縁に開口するスリット５３Ｂが周方向で間隔をあけて複数形成されている。
このように、スリット５３Ｂを形成することにより、押下ヘッド４２の下端部が径方向内方に向けて弾性変形しやすくなっている。そのため、押下ヘッド４２を下端部側から装着部材４１の案内孔部４３Ａに差し込むときに下端部が径方向内方に向けて弾性変形し、押下ヘッド４２を案内孔部４３Ａに容易に配置できる。ここで、押下ヘッド４２の下端部が案内孔部４３Ａに差し込んだ後に径方向外方に向けて弾性復帰するため、抜止凸部５３Ａは、頂壁部４３における案内孔部４３Ａの周縁部に引っ掛かることによって、押下ヘッド４２の装着部材４１に対する上方への移動を規制できる。
また、押下ヘッド４２の上方部（ノズル５２の下部）位置には、径方向外側に突出する環状膨出部が形成されており、押下ヘッドが下方に移動した際に、上記案内孔部４３Ａに係止されるように構成されている。
オーバーキャップ５は、有頂円筒状をなしており、押下ヘッド４２の外側を覆っている。
【００２７】
次に、以上のような構成の二重容器１においてカートリッジ体３を交換する方法を説明する。
まず、押下体４を外容器２に対して容器軸Ｏ回りに回転させて装着部材４１と外容器２の押下体装着口部１２との螺合を解除し、押下体４を外容器２から取り外す。このとき、位置決凸部１３Ｂと位置決切欠３９Ａとが係合しているので、押下体４を外容器２に対して回転させる際にカートリッジ体３が押下体４と共に外容器２に対して容器軸Ｏ回りに回転することが防止される。
【００２８】
そして、カートリッジ体３を外容器２から取り出し、内容物が充填されている新たなカートリッジ体３を外容器２内に装填する。ここで、内容器２１が吐出器２２によって封止されているので、カートリッジ体３を外容器２から開放してカートリッジ体３を外容器２から取り出した状態でカートリッジ体３を倒したり落としたりしても、カートリッジ体３内の内容物が外部に零れ出ず、また、その際に上方付勢状態のステム３２を押し下げたとしても、ステム３２を介して零れ出る内容物の量が少量になる。
なお、新たなカートリッジ体３を外容器２内に収納する際、位置決凸部１３Ｂと位置決切欠３９Ａとが係合するようにカートリッジ体３を外容器２内に収納する。このように位置決凸部１３Ｂと位置決切欠３９Ａとが係合することで、外容器２に対するカートリッジ体３の周方向の位置合わせが容易に行われる。ここで、外容器２及びカートリッジ体３それぞれの外周面に周方向における互いの位置合わせをより容易とするために位置合わせ用の模様などを施してもよい。
【００２９】
その後、装着部材４１を外容器２の押下体装着口部１２に対して容器軸Ｏ回りに回転させて装着部材４１を外容器２の押下体装着口部１２に螺着する。このとき、位置決凸部１３Ｂと位置決切欠３９Ａとが係合しているので、カートリッジ体３が押下体４と共に外容器２に対して容器軸Ｏ回りに回転することが防止される。そして、押下体４を外容器２に螺合していくと、押下体４は、カートリッジ体３のステム３２に対して相対的に下降し、嵌合筒部５１の下端は、ステム３２が上方付勢されていることから、ステム３２の上端に当接したまま装着部材４１に対して相対的に上昇する。
【００３０】
さらに押下体４を外容器２に螺合させて、押下ヘッド４２が装着部材４１に対してさらに相対的に上昇していくと、抜止凸部５３Ａは、頂壁部４３における案内孔部４３Ａの周縁部に引っ掛かる。これにより、抜止凸部５３Ａは、押下ヘッド４２の装着部材４１に対するさらなる上昇移動を規制する。そのため、嵌合筒部５１は、案内孔部４３Ａ内で上下動不能となり、押下体４の螺合に伴ってステム３２に対して相対的に下降し、ステム３２の上側部分と嵌合する。
以上のようにして、カートリッジ体３を交換する。
【００３１】
このような構成の二重容器１によれば、内容器２１のポンプ装着口部２５を吐出器２２で閉塞したカートリッジ体３を交換するため、交換時にカートリッジ体３を倒したり落としたりしても内容物が外部に零れ出ない、または零れたとしても少量とすることができる。また、抜止凸部５３Ａが押下ヘッド４２の上昇移動を規制するため、押下体４を外容器２に螺着するときに嵌合筒部５１にステム３２を確実に嵌め込むことができる。
また、位置決凸部１３Ｂ及び位置決切欠３９Ａを係合させることによって外容器２及び内容器２１双方の周方向の位置合わせが容易かつ正確に行われ、例えば外容器２及び内容器２１に模様などがある場合に両者の模様を重ね合わせたり、あるいは周方向に離間させたりすることができる。さらに、押下体４の装着部材４１を押下体装着口部１２に螺着するときに押下ヘッド４２がステム３２と接触した状態で押下体４がカートリッジ体３と共に容器軸Ｏ回りに螺着方向で回転することを防止するため、嵌合筒部５１にステム３２を容易に着脱できる。
また、外筒部５３の下端部を案内孔部４３Ａに差し込む際に外筒部５３の下端部が径方向内方へ弾性変形するので、押下ヘッド４２を案内孔部４３Ａに容易に配置できる。
【００３２】
次に、本発明による二重容器の第２の実施形態を、図面に基づいて説明する。なお、ここで説明する実施形態は、その基本的構成が上述した第１の実施形態と同様である。したがって、図７及び図８においては、図１から図６と同一構成要素に同一符号を付し、この説明を省略する。
【００３３】
第２の実施形態における二重容器１００において、外容器１０１における外胴部１０２は、その上端部分に内径を拡大して形成され、押下体装着口部として構成される上側部分と、上記上側部分の下端に段差部を介して連結する下側部分とからなり、上記下側部分の上端部に、位置決溝部（位置決部）１０２Ａが形成されている。また、吐出器１０５のポンプフランジ部１０６に、位置決溝部１０２Ａと係合する位置決凸部（位置決部）１０６Ａが形成されている。なお、ポンプフランジ部１０６の外径は、外胴部１０２の下側部分の内径と同等、もしくは若干小さくなっている。
位置決溝部１０２Ａは、外胴部１０２において容器軸Ｏ’を挟んで径方向両側の２箇所に形成されている。そして、位置決溝部１０２Ａは、側面視でほぼＬ字状をなしており、容器軸Ｏ’に沿って延在する入口溝部１０２Ｂと、入口溝部１０２Ｂに接続されて周方向に沿って延在する案内溝部１０２Ｃと、によって形成されている。
【００３４】
入口溝部１０２Ｂは、上端開口が外胴部１０２の下側部分の上端縁（段差部）に開口しており、周方向の幅が位置決凸部１０６Ａの周方向の幅と同等となっている。
案内溝部１０２Ｃは、周方向の一端が入口溝部１０２Ｂの下端に接続されており、周方向の長さが位置決凸部１０６Ａの周方向の幅と同等となっている。また、案内溝部１０２Ｃの上記一端には、径方向内方に向けて若干突出する乗越凸部１０２Ｄが容器軸Ｏ’に沿って形成されている。
【００３５】
位置決凸部１０６Ａは、図７に示すように、ポンプフランジ部１０６において容器軸Ｏ’を挟んで径方向両側の２箇所に形成されている。上記位置決凸部１０６Ａ及び位置決溝部１０２Ａは３箇所以上に形成してもよい。
【００３６】
以上のような構成の二重容器１００においてカートリッジ体３を外容器１０１に装填する場合には、まず、位置決凸部１０６Ａと位置決溝部１０２Ａの入口溝部１０２Ｂとを周方向で位置合わせした状態でカートリッジ体３を外容器１０１に対して下降させ、入口溝部１０２Ｂに位置決凸部１０６Ａを滑り込ませる。そして、カートリッジ体３を外容器１０１に対して周方向で移動させると、位置決凸部１０６Ａは、乗越凸部１０２Ｄを乗越えながら案内溝部１０２Ｃに沿って周方向で移動し、案内溝部１０２Ｃ内に収納される。いったん案内溝部１０２Ｃに位置決凸部１０６Ａを収納すると、位置決凸部１０６Ａは、上述と反対方向の周方向で案内溝部１０２Ｃ内を移動しようとしても、乗越凸部１０２Ｄに突き当たって一定の抵抗を受ける。そのため、位置決凸部１０６Ａは、案内溝部１０２Ｃ内において周方向で位置決めされる。これにより、外容器１０１とカートリッジ体３との周方向の位置決めが行われる。
以上のようにして、カートリッジ体を外容器１０１に装填する。
【００３７】
次に、二重容器１００においてカートリッジ体３を外容器１０１から取り外す場合には、まず、上述した実施形態と同様に、押下体を外容器１０１に対して容器軸Ｏ’回りに回転させて装着部材と外容器１０１の押下体装着口部との螺合を解除し、押下体を外容器１０１から取り外す。このとき、案内溝部１０２Ｃ内に位置決凸部１０６Ａが収納されているので、カートリッジ体３の外容器１０１に対する上下方向の移動が規制されている。そのため、吐出器１０５のステム３２が押下体の嵌合筒部に嵌め込まれていても、押下体を外容器１０１から取り外す際にカートリッジ体３が押下体と共に外容器１０１から取り外されず、外容器１０１内に収容されたままとなる。これにより、交換されるカートリッジ体３とカートリッジ体３を交換しても再使用される押下体とを容易に分離させることができる。
その後、位置決凸部１０６Ａが乗越凸部１０２Ｄを乗越える程度の力を加えてカートリッジ体３を外容器１０１に対して周方向で回転させ、さらにカートリッジ体３を外容器１０１から引き上げることによって、カートリッジ体３を外容器１０１から取り外す。
以上のようにして、カートリッジ体を外容器１０１から取り外す。
【００３８】
以上のような構成の二重容器１００においても、上述した第１の実施形態と同様の作用、効果を奏するが、案内溝部１０２Ｃ内に位置決凸部１０６Ａが収納されてカートリッジ体３の外容器１０１に対する上下方向の移動が規制されているので、交換されるカートリッジ体３とカートリッジ体３を交換しても再使用される押下体４とを容易に分離させることができる。
なお、上記形態においては案内溝部１０２Ｃの延在方向を押下体４の螺着方向（装着時の回転方向）と同じ方向としたが、例えば、上記延在方向を押下体４の螺脱方向（装着時とは逆方向）と同じ方向にすることで、上記乗越凸部１０２Ｄを省略しても押下体の螺脱時に位置決凸部１０６Ａが案内溝部１０２Ｃに配置された状態を保つことができる。
【００３９】
次に、本発明による二重容器の第３の実施形態を、図面に基づいて説明する。なお、ここで説明する実施形態は、その基本的構成が上述した第１の実施形態と同様である。したがって、図９から図１２においては、図１から図６と同一構成要素に同一符号を付し、この説明を省略する。
【００４０】
第３の実施形態における二重容器２００では、図９から図１１に示すように、押下体２０１の押下ヘッド２０２が、装着部材２０３に対する上下動を規制する規制位置と、上下動を可能とする規制解除位置との間において、装着部材２０３に対して容器軸Ｏ”回りに回転可能となっている。
押下体２０１の押下ヘッド２０２は、嵌合筒部５１と、ノズル５２と、外筒部２０４と、を有する。
外筒部２０４の外周面には、上下方向に延在する縦リブ（規制凸部）２０４Ａが径方向外方に向けて突設されている。ここで、縦リブ２０４Ａは、外筒部２０４の下端から上方に離間しており、抜止凸部２０４Ｂとの間で後述する頂壁部２０５を挟む。
【００４１】
装着部材２０３は、頂壁部２０５と、接続筒部４４と、環状壁部４５と、装着筒部４６と、外壁部４７と、を有する。
頂壁部２０５における案内孔部２０５Ａの周縁部には、図１０から図１２に示すように、周方向に沿って延びる溝部２０５Ｂが形成されている。そして、溝部２０５Ｂ内に縦リブ２０４Ａの下端部が配置されている。
【００４２】
溝部２０５Ｂにおける周方向の両端部のうち装着部材２０３が押下体装着口部１２に対して緩む緩み側の端部には、頂壁部２０５を貫通する通過孔部２０５Ｃが形成されている。ここで、縦リブ２０４Ａの幅は、通過孔部２０５Ｃの幅と同等となっている。これにより、押下ヘッド２０２は、押下ヘッド２０２を装着部材２０３に対して容器軸Ｏ”回りに回転させて周方向で縦リブ２０４Ａと通過孔部２０５Ｃとを位置合わせすることにより、装着部材２０３に対して上下動可能となる。すなわち、周方向で縦リブ２０４Ａと通過孔部２０５Ｃとが位置合わせされた状態の押下ヘッド２０２の位置が、規制解除位置となる。
【００４３】
さらに、溝部２０５Ｂにおける周方向の両端部のうち装着部材２０３が押下体装着口部１２に対して締め込まれる締め込み側の端部には、抑止凸部（抑止部）２０５Ｄが形成されている。なお、溝部２０５Ｂを画成する壁面のうち前記締め込み側の端部に位置する壁面は、前記緩み側を向いており、縦リブ２０４Ａの側壁と係合することによって押下ヘッド２０２が装着部材２０３に対して前記締め込み側に移動することを規制する係合部として機能する。このとき、押下ヘッド２０２は、縦リブ２０４Ａの下面が頂壁部２０５を挟み込むことによって装着部材２０３に対して上下動が規制される。すなわち、周方向で縦リブ２０４Ａが通過孔部２０５Ｃからずらされた状態の押下ヘッド２０２の位置が、規制位置となる。
【００４４】
以上のような構成の二重容器２００において押下体２０１を外容器２から取り外す場合には、まず、図１０に示す規制解除位置にある押下ヘッド２０２を装着部材２０３に対して容器軸Ｏ”回りに回転させて縦リブ２０４Ａと抜止凸部２０４Ｂとの間で頂壁部２０５を挟む。そして、押下ヘッド２０２を容器軸Ｏ”回りにさらに回転させると、図１１に示すように、縦リブ２０４Ａが溝部２０５Ｂの抑止凸部２０５Ｄを乗り越える。したがって、装着部材２０３に対して押下ヘッド２０２が不用意に容器軸Ｏ”回りに回転することが抑制される。また、縦リブ２０４Ａは、溝部のうち係合部として機能する周方向端壁と係合する。
これにより、押下ヘッド２０２は、周方向の回転が規制された状態で、かつ、装着部材２０３に対する上下動が規制された規制位置に位置することとなる。
【００４５】
そして、装着部材２０３を押下体装着口部１２に対して前記緩み側に回転させる。ここで、縦リブ２０４Ａが溝部２０５Ｂにおいて前記締め込み側で端壁と当接しており、装着部材２０３に対して相対的に前記締め込み方向に移動することが防止される。そのため、装着部材２０３を前記緩み側に回転させると、押下ヘッド２０２は、縦リブ２０４Ａの側面が溝部２０５Ｂにおける前記締め込み側の端壁に押圧され、装着部材２０３と共に前記緩み側に回転する。続いて、装着部材２０３を容器軸Ｏ”回りにさらに回転させると、装着部材２０３と押下体装着口部１２との螺合が解除される。
その後、装着部材２０３を押下ヘッド２０２と共に上方に引き上げる。このとき、押下ヘッド２０２の装着部材２０３に対する上下動が規制されているため、装着部材２０３を上方に引き上げる際に押下ヘッド２０２が装着部材２０３に対して固定されている。これにより、装着部材２０３が押下体装着口部１２から取り外されると共に、押下ヘッド２０２がステム３２から取り外される。
以上のようにして、押下体２０１を外容器２から取り外す。その後、上述した実施形態と同様にして、カートリッジ体３を交換する。
押下体２０１を外容器２に取り付ける場合には、押下体２０１を外容器２から取り外す手順と逆の手順を行うことにより、押下体２０１を外容器２に取り付ける。
【００４６】
続いて、カートリッジ体３の交換後に内容物を吐出させる場合には、まず、図１１に示す規制位置にある押下ヘッド２０２を装着部材２０３に対して容器軸Ｏ”回りに回転させ、図１０に示すように、周方向で縦リブ２０４Ａと通過孔部２０５Ｃとを位置合わせする。これにより、押下ヘッド２０２は、装着部材２０３に対する上下動が自在である規制解除位置に位置することとなる。その後、押下ヘッド２０２を押し下げてノズル５２から内容物を吐出させる。
以上のようにして、カートリッジ体３の内容物を吐出させる。
【００４７】
なお、カートリッジ体３の交換後においても、内容物を吐出させないときに、押下ヘッド２０２を規制位置まで容器軸Ｏ”回りに回転させてもよい。これにより、押下ヘッド２０２の装着部材２０３に対する上下動が規制されるので、不用意に押下ヘッド２０２が押し下げられてノズル５２から内容物が吐出されない。ここで、押下ヘッド２０２を規制位置から規制解除位置まで移動させるために縦リブ２０４Ａが抑止凸部２０５Ｄを乗り越える必要があるので、縦リブ２０４Ａは、周方向で移動しようとしても、抑止凸部２０５Ｄに突き当たって一定の抵抗を受ける。そのため、規制位置にある押下ヘッド２０２が不用意に規制解除位置まで移動されることが抑制され、これにより、ノズル５２から内容物が吐出されることがより効果的に防止される。
【００４８】
以上のような構成の二重容器２００では、上述した第１の実施形態と同様の作用、効果を奏するが、装着部材２０３を押下体装着口部１２から取り外すと共に押下ヘッド２０２をステム３２から取り外すことができるので、押下体２０１を外容器２から容易に取り外すことができる。また、押下ヘッド２０２が規制位置から規制解除位置に向けて周方向で不用意に移動しないので、押下ヘッド２０２の誤動作をより確実に防止できる。
【００４９】
なお、本実施形態において、押下ヘッド２０２が装着部材２０３に対して容器軸Ｏ”回りに回転することによって規制位置と規制解除位置との間で移動可能であれば、溝部２０５Ｂを全周にわたって形成するなど、他の構成であってもよい。例えば、押下ヘッド２０２に縦リブ２０４Ａが形成され、装着部材２０３に溝部２０５Ｂが形成されているが、押下ヘッドの外筒部の外周面に例えば図７に示す位置決溝部１０２ＡのようなＬ字状の溝部を形成すると共に、装着部材の頂壁部において案内孔部の周縁部に径方向内方に向けて突出する例えば図７に示す位置決凸部１０６Ａのような凸部を形成し、凸部をＬ字状の溝部に沿って案内させることによって押下ヘッドを規制位置と規制解除位置との間で移動可能とすると共に規制解除位置において上下動可能な構成としてもよい。
また、頂壁部２０５における案内孔部２０５Ａの周縁部の一部に溝部２０５Ｂを形成しているが、溝部２０５Ｂを形成せずに案内孔部２０５Ａの縁部に抑止凸部２０５Ｄ及び通過孔部２０５Ｃを形成してもよい。このとき、抑止凸部２０５Ｄよりも周方向で締め付け方向側に係合部として機能する凸部を形成してもよい。
さらに、抑止凸部２０５Ｄは、設けられていなくてもよく、通過孔部２０５Ｃに隣接する溝部２０５Ｂ上に案内用の乗り越え凸部を形成して、使用時において押下ヘッドが規制解除位置から容易に回動することを抑止するように構成してもよい。
【００５０】
なお、本発明は上記実施形態に限定されるものではなく、本発明の趣旨を逸脱しない範囲において種々の変更を加えることができる。
例えば、押下体は、外容器に螺着される構成となっているが、スナップ係合など、他の装着方法を用いて装着される構成であってもよい。
外容器は、有底筒状をなしているが、底部を別体とした筒状であってもよく、外容器の内部に収納されるカートリッジ体の少なくとも側面を被覆できれば、底部のない筒状など、他の形状であってもよい。
カートリッジ体は、内容器に吐出器を螺着させる構成となっているが、内容物を密封していればよく、上述と同様に、スナップ係合など他の装着方法を用いて装着されても、着脱不能に嵌着されても、接着剤などで接着した構成などであってもよい。
抜止部は、外筒部の下端部において径方向外方に突出して形成された環状の凸部で構成されているが、押下ヘッドの装着部材に対する上方向への移動を規制して押下ヘッドが装着部材の案内孔部から抜け出ることを防止できれば、他の形状であってもよい。また、抜止部は、外筒部の下端部以外の場所に形成されてもよい。
押下ヘッドの下端部に形成されるスリットは、下端部における径方向内方への弾性変形が容易になれば、容器軸に対して傾いた方向に沿って形成されてもよい。また、押下ヘッドが装着部材の案内孔部に差し込まれていれば、スリットを形成しなくてもよい。
上記実施形態では、カートリッジ体がいわゆるポンプ容器の構成となっているが、マウンティングカップを備えるエアゾール容器の構成など、他の液体噴出容器の構成を適用してもよい。
【産業上の利用可能性】
【００５１】
この発明によれば、内容器を吐出容器に装填する前や装填するときに内容器を倒したり落としたりしても内容物が零れ出ない、または零れ出ても少量である二重容器に関して、産業上の利用可能性が認められる。
【符号の説明】
【００５２】
１，１００，２００  二重容器、２，１０１  外容器、３  カートリッジ体、４，２０１  押下体、１２  押下体装着口部（装着口部）、１３Ｂ，１０６Ａ  位置決凸部（位置決部）、２１  内容器、２２，１０５  吐出器、２５  ポンプ装着口部（口部）、３２  ステム、３９Ａ  位置決切欠（位置決部）、４１，２０３  装着部材、４２，２０２  押下ヘッド、４３，２０５  頂壁部、４３Ａ  案内孔部、５３Ａ，２０４Ｂ  抜止凸部（抜止部）、５３Ｂ  スリット、１０２Ａ  位置決溝部（位置決部）、２０４Ａ  縦リブ（規制凸部）、２０５Ｃ  通過孔部、２０５Ｄ  抑止凸部（抑止部）、Ｏ，Ｏ’，Ｏ”  容器軸
【図１】
2011068405.tif 000003
【図２】
2011068405.tif 000004
【図３】
2011068405.tif 000005
【図４】
2011068405.tif 000006
【図５】
2011068405.tif 000007
【図６】
2011068405.tif 000008
【図７】
2011068405.tif 000009
【図８】
2011068405.tif 000010
【図９】
2011068405.tif 000011
【図１０】
2011068405.tif 000012
【図１１】
2011068405.tif 000013
【図１２】
2011068405.tif 000014